(57)【要約】【課題】より好適に使用者の頭皮に対して刺激を付与することができる頭皮ケア装置を提供する。【解決手段】使用者の頭皮と接触し、頭皮に刺激を付与する施術突起２４を振動させる振動モータ３０と、施術突起２４を有する施術子２１を回転駆動させる回転駆動源としての回転モータ１４とが備えられる。振動モータ３０は回転軸３１に対して偏心する偏心錘３２を有するモータで構成されるとともに、施術子２１は使用者が把持可能な本体ハウジング１１に対して１つ設けられる。この施術子２１には施術突起２４が複数備えられるとともに、各施術突起２４の配置中心と振動モータ３０のモータの回転中心とが中心線Ｌ２で一致するよう構成される。【選択図】図１
2011251086.tif 000002
【特許請求の範囲】
【請求項１】
使用者の頭皮と接触される施術突起にて前記頭皮に刺激を付与する頭皮ケア装置であって、
前記施術突起を振動させる振動源と、
前記施術突起を有する施術子を回転駆動させる駆動源と
を備えたことを備えたことを特徴とする頭皮ケア装置。
【請求項２】
請求項１に記載の頭皮ケア装置において、
前記振動源は、前記施術突起の突出方向と同方向若しくはその直交方向に振動を付与するよう構成されたことを特徴とする頭皮ケア装置。
【請求項３】
請求項１又は２に記載の頭皮ケア装置において、
前記振動源は、その回転軸に対して偏心する偏心錘を有する振動モータで構成され、
前記施術子は、前記使用者が把持可能な把持部に対して１つ設けられるとともに、前記施術突起を複数備え、
前記施術突起の配置中心線と前記振動モータの回転軸の軸線とが一致するよう構成されたことを特徴とする頭皮ケア装置。
【請求項４】
請求項１又は２に記載の頭皮ケア装置において、
前記施術子は、前記使用者が把持可能な把持部に対して複数設けられ、
前記振動源は、前記把持部内部に収容されたことを特徴とする頭皮ケア装置。
【請求項５】
請求項４に記載の頭皮ケア装置において、
前記振動源は、その回転軸に対して偏心する偏心錘を有する振動モータで構成され、
前記施術子の配置中心線と前記振動モータの回転軸の軸線とが一致するよう構成されたことを特徴とする頭皮ケア装置。
【請求項６】
請求項１〜５のいずれか一項に記載の頭皮ケア装置において、
前記振動源を２つのケース部材にて挟持して収容する収容ケースを備え、
前記２つのケース部材は同一の材質で前記振動源を挟持する挟持部位が同形状に構成されたことを特徴とする頭皮ケア装置。
【発明の詳細な説明】
【技術分野】
【０００１】
本発明は、例えば、頭皮の活性化を図るための頭皮ケア装置に関するものである。
【背景技術】
【０００２】
従来、特許文献１の頭皮ケア装置では、振動源としての偏心モータを備え、そのモータにより使用者の頭皮と当接する施術突起に対して振動を付与することで使用者の頭皮のマッサージを施す（刺激を付与する）ようになっている。
【先行技術文献】
【特許文献】
【０００３】
【特許文献１】特開２００８−１１９０１６号公報
【発明の概要】
【発明が解決しようとする課題】
【０００４】
ところで、上記のような頭皮ケア装置では、偏心モータにて使用者の頭皮にマッサージを施すことができるようになっているが、より好適に使用者の頭皮に刺激を付与できる頭皮ケア装置の開発が望まれている。
【０００５】
本発明は、上記課題を解決するためになされたものであって、その目的は、より好適に使用者の頭皮に対して刺激を付与することができる頭皮ケア装置を提供することにある。
【課題を解決するための手段】
【０００６】
上記課題を解決するために、本発明の頭皮ケア装置は、使用者の頭皮と接触し、頭皮に刺激を付与する施術突起を振動させる振動源と、その施術突起を有する施術子を回転駆動させる駆動源とを備えたことを特徴とする。
【０００７】
また上記構成において、振動源は、施術突起の突出方向と同方向若しくはその直交方向に振動を付与するよう構成されることが好ましい。
また上記構成において、振動源は、その回転軸に対して偏心する偏心錘を有する振動モータで構成され、施術子は、使用者が把持可能な把持部に対して１つ設けられるとともに、施術突起を複数備え、施術突起の配置中心線と前記振動モータの回転軸の軸線とが一致するよう構成されることが好ましい。
【０００８】
また上記構成において、施術子は、使用者が把持可能な把持部に対して複数設けられ、振動源は、収容ケース内部に収容されることが好ましい。
また上記構成において、振動源は、その回転軸に対して偏心する偏心錘を有する振動モータで構成され、施術子の配置中心線と前記振動モータの回転軸の軸線とが一致するよう構成されることが好ましい。
【０００９】
また上記構成において、振動源は、その回転軸に対して偏心する偏心錘を有するモータで構成され、施術子の配置中心線とモータの回転軸の軸線とが一致するよう構成されることが好ましい。
【００１０】
また上記構成において、振動源を２つのケース部材にて挟持して収容する収容ケースを備え、前記２つのケース部材は同一の材質で前記振動源を挟持する挟持部位が同形状に構成されることが好ましい。
【発明の効果】
【００１１】
本発明によれば、より好適に使用者の頭皮に対して刺激を付与することができる頭皮ケア装置を提供することができる。
【図面の簡単な説明】
【００１２】
【図１】（ａ）は本実施形態における頭皮ケア装置の概略構成図であり、（ｂ）は施術子の上面図である。
【図２】（ａ）は別例における頭皮ケア装置の概略構成図であり、（ｂ）は頭皮ケア装置の上面図である。
【図３】別例におけるモータの取り付け構造について説明するための断面図である。
【図４】別例における頭皮ケア装置の概略構成図である。
【発明を実施するための形態】
【００１３】
以下、本発明を具体化した一実施形態を図面に従って説明する。
図１（ａ）に示すように、本実施の形態の頭皮ケア装置１０は、把持可能な把持部としての本体ハウジング１１と、この本体ハウジング１１の上部に構成される略円柱状の１つの施術子２１とを備えている。本体ハウジング１１の側面には使用者が頭皮ケア装置１０のオンオフ操作を行う電源スイッチ１２と後述する振動モータ３０を駆動させるための振動部駆動スイッチ１３が設けられている。
【００１４】
本体ハウジング１１の内部には回転モータ１４が収容されるとともに、この回転モータ１４は本体ハウジング１１に収容された制御部１５と電気的に接続されている。制御部１５は、本体ハウジング１１内に収容された電源部１６、前記電源スイッチ１２及び振動部駆動スイッチ１３と電気的に接続されている。
【００１５】
回転モータ１４のモータ軸１４ａ先端には駆動ギヤ１４ｂが取り付けられている。一方、本体ハウジング１１に設けられたベアリング１７により回転可能に支持された回転軸１８ａには、その基端部にギヤ１８ｂがそれぞれ取り付けられている。このギヤ１８ｂは回転モータ１４の駆動ギヤ１４ｂと噛合されている。これにより、モータ軸１４ａの回転がギヤ１８ｂに伝達されるようになっている。
【００１６】
ギヤ１８ｂと一体回転する回転軸１８ａの先端部は、本体ハウジング１１から外部に突出するとともに、その突出部分には円盤状の回転体１９が固定されている。回転体１９は、その中心部に前記回転軸１８ａが一体回転可能に固定されるとともに、回転体１９の上面に固定された支持部２０にはそれぞれ施術子２１が回転可能に支持されている。
【００１７】
施術子２１は、支持部２０に対してベアリング２２にて回転可能に支持された施術子側ハウジング２３と、このハウジング２３に取り付けられる複数（本実施形態では４つ）の施術突起２４と、前記ハウジング２３内に収容される振動モータ３０とを有している。また、施術子２１の回転中心（施術突起２４の配置中心）である中心線Ｌ２は、回転軸１８ａの回転中心である軸線Ｌ１からずれた位置に設定されている。
【００１８】
施術突起２４は、例えば可撓性を有するエラストマで構成されるとともに、先細形状とされてその先端部は突出方向と反対側に凹状をなす球面上の凹部が形成されている。このため、この施術突起２４の先端は使用者の頭部（頭皮）の形状に倣った形状とされている。
【００１９】
振動モータ３０は、前記ハウジング２３内に収容されており、そのモータ３０の回転軸３１に偏心錘３２が取り付けられている。なお、回転軸３１の軸中心は施術子２１の回転中心（施術突起２４の配置中心）である中心線Ｌ２と一致するように設定されている。このため、回転軸３１が回転駆動されると振動が発生することで、施術子２１が前記施術突起２４の突出方向と直交する方向に振動が付与されるようになっている。
【００２０】
上記のように構成された頭皮ケア装置１０では、電源スイッチ１２が使用者によってオン操作されると、制御部１５はその電源スイッチ１２からのオン操作信号の入力に基づいて、回転モータ１４（そのモータ軸１４ａ）を回転駆動させるための電力を電源部１６から回転モータ１４に供給する。そして、回転モータ１４のモータ軸１４ａが回転駆動されると、２つの回転軸１８ａ及び回転体１９が前記軸線Ｌ１を中心として一体回転する。また、このとき、施術突起２４が軸線Ｌ１からずれた中心線Ｌ２を中心として回転する。そして、施術突起２４の先端を頭皮に接触させると、施術突起２４の先端が球面状の凹部とされていること等から頭皮に密着して、施術突起２４の先端の動きに合わせて使用者の頭皮が動かされることになり、頭皮がケア（マッサージ）されることになる。
【００２１】
また、電源スイッチ１２がオン状態において振動部駆動スイッチ１３がオン操作されると、制御部１５はそのスイッチ１３からのオン操作信号の入力に基づいて、施術子２１（施術突起２４）を振動させるための電力を電源部１６から振動モータ３０に供給する。これによって、施術突起２４が振動されて好適な刺激が頭皮に付与されることになる。
【００２２】
次に、本実施形態の特徴的な作用効果を記載する。
（１）使用者の頭皮と接触し、頭皮に刺激を付与する施術突起２４を振動させる振動モータ３０と、施術突起２４を有する施術子２１を回転駆動させる回転駆動源としての回転モータ１４とが備えられる。このような構成とすることで、施術突起２４の振動による刺激に加えて、施術突起２４の回転による刺激を使用者の頭皮に付与することができるため、使用者に対してより強い好適な刺激を付与することができる。
【００２３】
（２）振動モータ３０は、施術突起２４の突出方向と直交する方向（水平方向）に振動を付与するよう構成される。このような構成とすることで、施術突起２４の回転方向の刺激に加えて、その回転の円周上から径方向にずれた前記直交方向の刺激を付与することができるため、より好適な刺激を付与することができる。これによって、より好適に頭皮を柔軟にすることができる。
【００２４】
（３）振動モータ３０は回転軸３１に対して偏心する偏心錘３２を有するモータで構成されるとともに、施術子２１は使用者が把持可能な本体ハウジング１１に対して１つ設けられる。この施術子２１には施術突起２４が複数備えられるとともに、各施術突起２４の配置中心と振動モータ３０のモータの回転中心とが中心線Ｌ２で一致するよう構成される。このように、振動モータ３０の回転中心と施術突起２４の配置中心とが一致するよう構成されることで、各施術突起２４を均等に振動させることができる。
【００２５】
尚、本発明の実施形態は、以下のように変更してもよい。
・上記実施形態では、複数の施術突起２４を有する施術子２１を１つ設ける構成としたが、これに限らず、図２（ａ）（ｂ）に示すように複数の施術突起２４を有する施術子２１を複数（２つ以上）設ける構成を採用してもよい。この場合、施術子２１（施術突起２４）に対して振動を付与する振動源である振動モータ３０は例えば本体ハウジング１１の内部に設ける構成が好ましい。これにより、各施術子２１内部に振動モータ３０を設ける場合と比較して部品点数の増加を抑えつつ、各施術子２１（施術突起２４）に振動を付与することができる。
【００２６】
なお、上記構成において、振動モータ３０の回転軸３１が前記施術突起２４の延出方向に沿って配置される場合、複数の施術子２１の配置中心と回転軸３１の軸中心とが中心線Ｌ３で一致することが望ましい。このような構成を採用することで、各施術突起２４を略均等に振動させることができる。
【００２７】
また、本体ハウジング１１に振動モータ３０を収容する構成では、本体ハウジング１１に収容する際の取り付け構造は、図３に示すように本体ハウジング１１を構成する２つのハウジング部材４０，４１にて挟持する構成が好ましい。ここで本体ハウジング１１を構成する各ハウジング部材４０，４１は、同材質の有底筒状を成して各ハウジング部材４０，４１の開口部側を互いに重ね合わせることで前記本体ハウジング１１を構成している。各ハウジング部材４０，４１には、各底部４０ａ，４１ａに開口部側に延出する同形状の延出部４０ｂ、４１ｂが形成されている。各延出部４０ｂ、４１ｂの先端である各保持部４０ｃ、４１ｃは、振動モータ３０を構成するモータの円筒状のハウジングに倣った凹状をなしている。上述したように、各ハウジング部材４０，４１には同材質で同形状の延出部４０ｂ、４１ｂが形成されることで、振動モータ３０からの振動を各ハウジング部材４０、４１に均等に伝達させることができる。なお、各延出部４０ｂ、４１ｂの保持部４０ｃ、４１ｃと振動モータ３０を構成するモータのハウジングとの間に弾性部材４２を設けることが望ましい。このような構成とすることで振動モータ３０を各弾性部４２及び各保持部４０ｃ，４１ｃにて安定して保持することが可能となる。このため、本体ハウジング１１（ハウジング部材４０，４１）と振動モータ３０とを直接当接させた際に発生しうるびびり音の発生を軽減させることができる。
【００２８】
また、上記構成において、１つの回転モータ１４にて各施術子２１が回転駆動されることが好ましい。このような構成とすることで回転モータ１４を各施術子２１の個数と同数設ける場合と比較して、部品点数の増加を抑えることができる。なお、１つの回転モータ１４にて各施術子２１を回転駆動させる構成としては、本体ハウジング１１に設けられる２つのベアリング１７にて回転可能に支持される回転軸１８ａの基端側の各ギヤ１８ｂを回転させればよい。具体的には、各ギヤ１８ｂのうちの一方（図１において右側のギヤ）は回転モータ１４の駆動ギヤ１４ｂと噛合されるとともに、もう一方（図１において左側のギヤ）は前記駆動ギヤ１４ｂと噛合する中間ギヤ３５ａと噛合されている。これにより、モータ軸１４ａの回転が各ギヤ１８ｂに伝達されるようになっている。なお、中間ギヤ３５ａは、一体回転可能に固定された支軸３５ｂが本体ハウジング１１に設けられたベアリング３５ｃに回転可能に支持されている。
【００２９】
・上記実施形態では、回転軸３１先端に偏心錘３２を設けた振動モータ３０にて振動源を構成したが、これに限らない。
・上記実施形態では、振動モータ３０を駆動させるための振動部駆動スイッチ１３を本体ハウジング１１の側面に設ける構成を採用したが、これに限らない。例えば図２（ａ）（ｂ）に示すように、振動部駆動スイッチ１３を省略して、前記電源スイッチ１２をオン操作させることで振動モータ３０の駆動も開始されるような構成を採用してもよい。このような構成とすることで、別途スイッチ部材を設ける必要がないため、部品点数の増加を抑えることができる。
【００３０】
・上記実施形態では、振動モータ３０にて施術突起２４の突出方向と直交する方向（水平方向）に振動するよう構成したが、これに限らず、例えば図４に示すように施術突起２４の突出方向と同方向に振動を付与する構成を採用してもよい。このような構成とすることで施術突起２４にて頭皮を叩くような振動を付与することができ、頭皮下の血管や筋肉を刺激して血行促進効果を付与することが可能となる。また上記実施形態並びに上記構成以外の方向に振動を付与する構成を採用してもよい。
【符号の説明】
【００３１】
１０…頭皮ケア装置、１１…本体ハウジング（把持部及び収容ケース）、１４…回転モータ（駆動源）、１８ａ，３１…回転軸、２１…施術子、２４…施術突起、３０…振動モータ（振動源）、３２…偏心錘、４０，４１…ハウジング部材（ケース部材）、Ｌ２…中心線（配置中心線及び軸線）。
【図１】
2011251086.tif 000003
【図２】
2011251086.tif 000004
【図３】
2011251086.tif 000005
【図４】
2011251086.tif 000006